(57)【要約】【課題】  蓋５の開閉にともなって、その開状態および閉状態を自己保持する蓋付き容器において、その蓋５を開放したとき、収納物の出し入れに蓋５が邪魔とならないようにすること。【解決手段】  本体部１の一側に平面方向外側へヒンジ部４を設け、蓋５に本体被嵌部８とヒンジ被嵌部９とを設け、ヒンジ被嵌部９及び／またはヒンジ部４に、蓋５を開閉する際の弾性変形の基準となる枢軸６を有する三次曲面７を設ける。そして、蓋５を開閉したとき、三次曲面７の自己保持機能によって、蓋５の少なくとも根元部が本体部１の外側のヒンジ部４側に配置される。【選択図】        図１
2015089828.tif 000002
【特許請求の範囲】
【請求項１】
外周に蓋の着座部(3)を有し、その着座部(3)の内側の開口内に収納物を収納する箱状の樹脂製容器の本体部(1)と、
その本体部(1)の一側で、前記開口の平面方向の外側に、一体に突設形成されたヒンジ部(4)と、
そのヒンジ部(4)に接続され、またはヒンジ部(4)と一体に形成されて、そのヒンジ部(4)の周りに片扉状に開閉する蓋(5)と、
を具備し、
その蓋(5)は前記本体部(1)を被嵌する本体被嵌部(8)と、前記ヒンジ部(4)を被嵌するヒンジ被嵌部(9)とを有し、
そのヒンジ被嵌部(9)及び／またはヒンジ部(4)に、蓋(5)を開閉する際の弾性変形の基準となる枢軸(6)を有する三次元曲面(7)が設けられ、
その三次元曲面(7)は、蓋(5)の閉状態で枢軸(6)方向の断面が凹曲面に形成され、それに直交する直交線(6a)方向の断面が凸曲面に形成され、
その蓋(5)は閉状態で、本体部(1)の前記着座部(3)に着座すると共に、
その蓋(5)を閉から開方向に回動して、前記三次元曲面(7)が一定以上前記枢軸(6)の回りに変化すると、突如、前記凹曲面が凸曲面となり、前記凸曲面が凹曲面に弾性変形してその開状態を自己保持して、蓋(5)の少なくとも前記片扉状に開閉する根元部が本体部(1)より外側のヒンジ部(4)側に位置するように形成されたことを特徴とする蓋付き容器。
【請求項２】
請求項１に記載の蓋付き容器において、
蓋(5)の全てが本体部(1)より外側のヒンジ部(4)側に位置するように形成されたことを特徴とする蓋付き容器。
【請求項３】
請求項１に記載の蓋付き容器において、
前記本体部(1)の着座部(3)が環状に且つ、その平面が面一に形成され、前記ヒンジ部(4)が着座部(3)の外側に形成され、
その着座部(3)にシールフィルム(2)が貼着されて、本体部(1)の前記開口が閉塞され、前記蓋(5)がそのシールフィルム(2)を介して着座部(3)に着座される蓋付き容器。
【請求項４】
請求項３に記載の蓋付き容器において、
ヒンジ部(4)の全てが、本体部(1)の着座部(3)より本体部(1)の底(1a)側に位置した蓋付き容器。
【請求項５】
請求項１〜請求項３のいずれかに記載の蓋付き容器において、
前記蓋(5)には、前記ヒンジ被嵌部(9)に隣接して、前記三次曲面(7)の座屈防止用の補強部(13)が形成されたことを特徴とする蓋付き容器。
【請求項６】
請求項１〜請求項５のいずれかに記載の蓋付き容器において、
前記三次曲面(7)が前記枢軸(6)の方向に二つ以上直列して配置されている蓋付き容器。
【発明の詳細な説明】
【技術分野】
【０００１】
本発明は、飲食物や各種材料を収納する蓋付き容器に関し、その蓋がヒンジの周りに開放状態を維持できる自己保持機能を設けたものに関する。
【背景技術】
【０００２】
本発明者は、すでに、自己保持機能を有する蓋付き容器として、特許文献１に記載の容器を提案している。
これは、図15に示す如く、弾性を有する蓋５のヒンジ部を境に蓋５の一部が片開きするものにおいて、蓋５の閉塞状態でヒンジ部４を通る枢軸６を凹曲面とし、それに交差する直交線6ａを凸曲面とした三次曲面７で形成され、蓋５を回動して開くとき、三次曲面７の弾性により、枢軸６が凹曲面から凸曲面に変形して、その開状態が自己保持されるものである。
【先行技術文献】
【特許文献】
【０００３】
【特許文献１】特許第５１２２６９４号公報
【特許文献２】特開２００９−１０７６６２号公報
【発明の概要】
【発明が解決しようとする課題】
【０００４】
上記特許文献に記載された蓋付き容器は、いずれもそのヒンジ部４が本体部１の内部にあり、蓋５を開放したとき、その蓋５自体が図15（Ｃ）のごとく、本体部１の開口部の一部を閉塞し、本体部１内の収容物の出し入れの際、蓋５が干渉する恐れがある。
さらには、特許文献１においては、開放状態を自己保持するため、蓋５の内部に凹陥して三次曲面７が形成されている。そのため、閉状態では、三次曲面７は本体部１のフランジである着座部３の下方に位置する。そのため、図15の状態では、本体部１の着座部３に密封用のシールフィルムを取り付けることができない。
食品等の容器においては、内部の収納物の品質を保持するため、着座部３にシールフィルムを貼着し、密封する必要がある。しかしながら、特許文献１の発明の場合、凹陥した三次曲面７の存在により、シールフィルムを着座部３に貼着することができない。
【０００５】
仮に、このような蓋付き容器でシールフィルムを貼着するには、三次曲面７の下方において本体部１の内部にシール用のフランジを段付きに設け、そこにシールフィルムを貼着する必要がある。通常、シールフィルムは長尺なフィルムを本体部１上に配置し、加熱手段等により熱圧着するが、本体部１の内部の段付きのフランジに貼着する場合、シールフィルムの貼着が極めて困難となる。
そこで、本発明はこれらの問題点の解決することを課題とする。
【課題を解決するための手段】
【０００６】
請求項１に記載の本発明は、外周に蓋の着座部(3)を有し、その着座部(3)の内側の開口内に収納物を収納する箱状の樹脂製容器の本体部(1)と、
その本体部(1)の一側で、前記開口の平面方向の外側に、一体に突設形成されたヒンジ部(4)と、
そのヒンジ部(4)に接続され、またはヒンジ部(4)と一体に形成されて、そのヒンジ部(4)の周りに片扉状に開閉する蓋(5)と、
を具備し、
その蓋(5)は前記本体部(1)を被嵌する本体被嵌部(8)と、前記ヒンジ部(4)を被嵌するヒンジ被嵌部(9)とを有し、
そのヒンジ被嵌部(9)及び／またはヒンジ部(4)に、蓋(5)を開閉する際の弾性変形の基準となる枢軸(6)を有する三次元曲面(7)が設けられ、
その三次元曲面(7)は、蓋(5)の閉状態で枢軸(6)方向の断面が凹曲面に形成され、それに直交する直交線(6a)方向の断面が凸曲面に形成され、
その蓋(5)は閉状態で、本体部(1)の前記着座部(3)に着座すると共に、
その蓋(5)を閉から開方向に回動して、前記三次元曲面(7)が一定以上前記枢軸(6)の回りに変化すると、突如、前記凹曲面が凸曲面となり、前記凸曲面が凹曲面に弾性変形し、その開状態を自己保持して、蓋(5)の少なくとも前記片扉状に開閉する根元部が本体部(1)より外側のヒンジ部(4)側に位置するように形成されたことを特徴とする蓋付き容器である。
【０００７】
請求項２に記載の発明は、請求項１に記載の蓋付き容器において、
蓋(5)の全てが本体部(1)より外側のヒンジ部(4)側に位置するように形成されたことを特徴とする。
【０００８】
請求項３に記載の本発明は、請求項１に記載の蓋付き容器において、
前記本体部(1)の着座部(3)が環状に且つ、その平面が面一に形成され、前記ヒンジ部(4)が着座部(3)の外側に形成され、
その着座部(3)にシールフィルム(2)が貼着されて、本体部(1)の前記開口が閉塞され、前記蓋(5)がそのシールフィルム(2)を介して着座部(3)に着座される蓋付き容器である。
請求項４に記載の本発明は、請求項３に記載の蓋付き容器において、
ヒンジ部(4)の全てが、本体部(1)の着座部(3)より本体部(1)の底(1a)側に位置した蓋付き容器である。
【０００９】
請求項５に記載の本発明は、請求項１〜請求項３のいずれかに記載の蓋付き容器において、
前記蓋(5)には、前記ヒンジ被嵌部(9)に隣接して、前記三次曲面(7)の座屈防止用の補強部(13)が形成されたことを特徴とする蓋付き容器である。
請求項６に記載の本発明は、請求項１〜請求項５のいずれかに記載の蓋付き容器において、
前記三次曲面(7)が前記枢軸(6) の方向に二つ以上直列して配置されている蓋付き容器である。
【発明の効果】
【００１０】
本発明の蓋付き容器は、その蓋５に本体被嵌部８と、ヒンジ被嵌部９とを有し、その蓋５を開放したとき、開状態を自己保持して、蓋５の少なくとも根元部が本体部１より外側のヒンジ部４側に位置するから、収納物の出し入れの際、蓋が邪魔にならず、使い勝手のよい蓋付き容器となる。
請求項２に記載の発明のように、その蓋５を開放したとき開状態を自己保持して、蓋５の全てが本体部１より外側のヒンジ部４側に位置する場合には、さらに、蓋が邪魔にならず、使い勝手のよい蓋付き容器となる。
【００１１】
請求項３に記載の発明のように、本体部１の着座部３が環状に形成され、その着座部にシールフィルム２が貼着され、蓋５がそのシールフィルム２を介して着座部に着座する場合には、本体部内の収納物を密封して、その品質を保持できる。このとき、本体部１のヒンジ部４がシールフィルム２を貼着する着座部３の外側に位置するため、それに邪魔されることなく、容器本体の開口を気密にシールができ、量産性の高いシールフィルムを有する蓋付き容器を提供できる。
上記構成において、請求項４に記載のように、ヒンジ部４の全てを、本体部１の着座部３より本体部１の底1a側に位置させた場合には、長尺なシールフィルムをヒンジ部４と干渉することなく着座部３に供給でき、さらに量産性の高いシールフィルムを有する蓋付き容器を提供できる。
【００１２】
上記構成において、請求項５に記載のように、蓋５のヒンジ被嵌部９に隣接して前記三次曲面７の座屈防止用の補強部13を形成した場合には、蓋の自己保持機能をより確実にすることができる。
上記構成において、請求項６に記載のように、前記三次曲面７を前記枢軸６の方向に二つ以上直列して配置した場合には、その自己保持効果が強くなると共に、蓋５の捩れ防止に寄与する。さらには、本体部１の開口から外側への突出量を小さく維持でき、体裁がよい。
【図面の簡単な説明】
【００１３】
【図１】本発明の第１実施例の蓋付き容器の断面略図。
【図２】同蓋５を本体部１から分離した状態を示す説明図。
【図３】同斜視図。
【図４】同実施例の一部破断斜視図。
【図５】本発明の第２実施例の要部縦断面図。
【図６】同第３実施例の斜視図であって、蓋５を本体部１から分離した状態を示す。
【図７】同第３実施例の要部縦断面図。
【図８】同第３実施例の蓋５の開閉原理を示す説明図。
【図９】同第４実施例の要部縦断面斜視図であって、（Ａ）はその開放状態を示し、（Ｂ）は閉塞状態を示す。
【図１０】同第５実施例の要部縦断面斜視図であって、（Ａ）はその開放状態を示し、（Ｂ）は閉塞状態を示す。
【図１１】第５実施例の開閉の動作説明図。
【図１２】第６実施例の開閉の動作説明図。
【図１３】本発明の蓋５の自己保持機能の説明図であって、（Ａ）はその閉塞状態を示し、（Ｂ）はその開放状態を示す。
【図１４】第１実施例における三次曲面７の取付け状態を示す略図。
【図１５】従来型蓋付き容器の斜視図であって、（Ａ）は斜視図、（Ｂ）はＢ−Ｂ断面図、（Ｃ）Ｃ−Ｃ断面図であって、その開閉状態を示す説明図。
【発明を実施するための形態】
【００１４】
次に、図面に基づいて、本発明の実施の形態につき説明する。
【００１５】
（第１実施例）
図１〜図４は、本発明の第１実施例の説明図である。
この蓋付き容器は、図１および図２に示す如く、ヒンジ部４を一体に有する本体部１と、本体被嵌部８およびヒンジ被嵌部９を有する蓋５と、それらの間に介挿されるシールフィルム２とを有する。容器は、底1aを有する本体部１の開口端に蓋５の着座部３が環状に形成され、かつ、その着座部３が面一に設けられている。
【００１６】
この本体部１はその平面がほぼ方形に形成され、その一側に横断面が柄杓状のヒンジ部４が突設され、その先端に接合用フランジ10が設けられている。この接合用フランジ10の位置は、着座部３の高さよりも低く、底1a側に配置されている。また、ヒンジ部４の形状は、後述する蓋５の三次曲面７に整合する。そして、この本体部１内に収納物を収納した後、長尺なシールフィルム２が着座部３上に供給され、熱圧着等によりシールフィルム２と着座部３とが気密に貼着されるとともに、着座部３の外周に整合させてシールフィルム２が切断されるものである。
この実施例が図15の従来技術と異なる点は、本体部１のヒンジ部４と蓋５のヒンジ被嵌部９とを、シールフィルム２の着座部３の縁よりも外方に形成することにある。
【００１７】
次に、蓋５は本体部１に整合する本体被嵌部８と、ヒンジ部４に整合するヒンジ被嵌部９とを有する。このヒンジ被嵌部９は三次曲面７を形成し、ヒンジ部４の表面に接触する。そしてその先端の接合用フランジ10がヒンジ部４の接合用フランジ10に溶着又は接着により接合される。
また、本体被嵌部８の外周には着座部３に整合する蓋側フランジ15が設けられ、その先端に段付き部14が突設されている。
【００１８】
さらに、ヒンジ被嵌部９に隣接した位置で、本体被嵌部８には補強部13が本体部１側に凹陥して設けられている。この補強部13の凹陥の底部は、着座部３の位置よりも上方に配置される。この補強部13が存在しない場合、蓋５を開状態にしたときに、三次曲面７と蓋５のヒンジ被嵌部９との間に応力集中が生じ、その場所に座屈が生じる場合がある。この座屈が生じることにより、三次曲面７の弾性が弱まり、自己保持力が減少する原因となる。
この例において、補強部13は、三次曲面７の隣接した位置のみに形成されているが、これに代えて、蓋５のヒンジ被嵌部９に環状に設けてもよい。
【００１９】
次に、蓋５のヒンジ被嵌部９の三次曲面７は、開閉時に弾性変形の枢軸６の断面が、図４及び図１（Ｂ）のごとく、蓋５の閉塞状態で凹曲面となり、それに直行する直交線6aは図１（Ａ）、図４に示すごとく凸曲面となっている。そして、蓋５を開放したときには、図１（Ａ）の鎖線のごとく、枢軸６は凸曲面から凹曲面に変化し、その直交線6aが元の凸曲面から凹曲面に変化する。
【００２０】
（三次曲面の作用）
ヒンジ被嵌部９の三次曲面７の作用を図13に基づいて説明する。
図13で示す蓋が閉塞状態では、図13（Ａ）のごとく、枢軸６に平行な断面が凹曲面で、それに直行する直交線6aに平行な断面が凸曲面に形成され、その蓋を開く方向に回動すると一定の位置で突如、三次曲面７は図13（Ａ）の状態から（Ｂ）の状態に変化する。これは、三次曲面７が剛性および弾性を有する硬質樹脂フィルムからなるためである。そして、図13（Ａ）から（Ｂ）に変化する際、蓋を一定以上開くと、パチンという音を立て突然に（Ａ）から（Ｂ）に変化する。また、逆に蓋を一定以上閉じると、パチンという音を立て突然に（Ｂ）から（Ａ）に変化する。
【００２１】
本発明はこの現象を蓋５の一端部に利用している。そして、その蓋５を開放したとき、図１（Ａ）の鎖線に示す如く、蓋５の全てが着座部３の外側に移動し本体部１内の内容物の出し入れに邪魔にならない。本発明は、これを実現するため、ヒンジ部４およびヒンジ被嵌部９を本体部１の開口縁よりも外側に位置させている。
なお、蓋５の全てをヒンジ部側に移動させることに代えて、少なくとも蓋５の根元部が着座部３の外側に移動し、その先端部は本体部の開口の端に位置してもよい。その場合には、内部に収納物がなくても、容器が転倒することを防止できる。また、そのようにしても、蓋５の根元部が着座部３の外側に位置しているから、本体部１内の内容物の出し入れに邪魔にならない。
そして、この第１実施例では、弾性変形する三次曲面７を蓋５に設けたものである。
【００２２】
（第２実施例）
次に、図５は図１（Ａ）の変形例であり、本発明の第２実施例である。これが図１のそれと異なる点は、図１の例が本体部１と蓋５の各接合用フランジ10どうしを溶着することに代えて、蓋５とヒンジ部４との接続部を断面柄杓型の底部に接合用凸部11を設けた点のみである。
このように三次曲面７の底部に接合用凸部11を突設させ、それに整合してヒンジ部４の底部を凹陥させた場合、その接合用凸部11と凹部とによって、蓋５と本体部１とが嵌着し、その接合用凸部11を支点として蓋５が開閉するものである。
【００２３】
（第３実施例）
次に、図６は本発明の第３実施例であり、この実施例が第１および第２実施例と異なる点は、弾性変形する三次曲面７がヒンジ部４側にある点である。そして、この三次曲面７は、ヒンジ部４の外面側に図８（Ａ）のごとく、その弾性変形の枢軸６における横断面が凹曲面となり、それに直行する直交線6aの横断面が凸曲面に形成されている。そして、ヒンジ被嵌部９の接合用フランジ10とヒンジ部４の接合用フランジ10とがこの例では接合され、蓋５を開方向に移動すると、図８（Ｃ）のごとく、前記直交線6aの横断面が凸曲面から凹曲面に変化し、枢軸６の横断面の凹曲面は凸曲面に変化する。
なお、この第３実施例においても、本体部１の上端に設けられた着座部３は環状に形成され、かつ、それが面一に設けられている。そして、そこにシールフィルム２の周縁部が接合され、それによって気密を保持する。そして、蓋５はそのシールフィルム２を介して着座部３に着座される。
なお、この実施例では、本体部１の強度補強のため、本体部１の底部から着座部３までの立ち上がり壁外周に紙等からなるカバー材12を被嵌している。
【００２４】
（第４実施例）
次に、図９は本発明の第４実施例であり、この例が前記各実施例と異なる点は、本体部１と蓋５とが一体的に形成されている点である。
一般に流通されている本体部と蓋が一体となっている惣菜用フィルム容器は蓋が開状態で製造されている。樹脂の特性として、容器自体にその開状態を維持する力が働き、閉状態を維持するためには、テープ、輪ゴムなどの係止手段で固定するか、容器の固定端に係止片とそれを挿通する差し込み部を設けて固定していた。
この例では、弾性変形する三次曲面７が、ヒンジ部４とヒンジ被嵌部９との両者にまたがって形成されている。そして、本体部１の上端外周には着座部３が面一に形成され、そこに図示しないシールフィルムが貼着される。この例においても、蓋５を閉塞状態で、同図（Ｂ）のごとく、三次曲面７の外面側において、枢軸６が凹曲面となり、直交線6aが凸曲面となる。
この例のごとく、ヒンジ部４とヒンジ被嵌部９との間に一体的に三次曲面７を設けることにより、一般に流通している本体部と蓋が一体となっている惣菜用フィルム容器に適用できる。
【００２５】
（第５実施例）
次に、図10は本発明の第５実施例であり、この例が図９の第４実施例と異なる点は、着座部３が平面コ字状に形成され、それが本体部１の一側には存在しない点である。そして、同図（Ｂ）のごとく、蓋５の閉状態から同図（Ａ）のごとく開放されるものである。
図11は、開状態をその実線で示し、閉状態への過程を破線で示す。このように開状態から閉状態に移る途中においても、三次曲面７は突然変化し、閉状態を自己保持する。そして、蓋５の閉状態から開状態に移るときもパチンという音とともに突然変化し、開状態を自己保持する。
なお、上記各実施例において開状態から閉状態に移るときも同様である。
【００２６】
（第６実施例）
次に、図12は本発明の第６実施例であり、この例が図10の第５実施例と異なる点は、三次曲面７が二つ直列して配置されていることである。これを三つ以上配置してもよい。このように、複数の三次曲面を配置すると、その自己保持効果が強くなると共に、蓋５の捩れ防止に寄与する。さらには、本体部１の開口から外側への突出量を小さく維持でき、体裁がよい。
【００２７】
（変形例）
図12は図10の変形例であるが、同様に第１〜第４実施例においても、複数の三次曲面を直列に配置してもよい。それらの場合にも、第６実施例の作用効果と同様に、その自己保持効果が強くなると共に、蓋５の捩れ防止に寄与する。さらには、本体部１の開口から外側への突出量を小さく維持でき、体裁がよい。
【符号の説明】
【００２８】
１  本体部
1a  底
２  シールフィルム
３  着座部
４  ヒンジ部
５  蓋
６  枢軸
6a  直交線
７  三次曲面
８  本体被嵌部
【００２９】
９  ヒンジ被嵌部
10  接合用フランジ
11  接合用凸部
12  カバー材
13  補強部
14  段付き部
15  蓋側フランジ
16  舌片部
【図１】
2015089828.tif 000003
【図２】
2015089828.tif 000004
【図３】
2015089828.tif 000005
【図４】
2015089828.tif 000006
【図５】
2015089828.tif 000007
【図６】
2015089828.tif 000008
【図７】
2015089828.tif 000009
【図８】
2015089828.tif 000010
【図９】
2015089828.tif 000011
【図１０】
2015089828.tif 000012
【図１１】
2015089828.tif 000013
【図１２】
2015089828.tif 000014
【図１３】
2015089828.tif 000015
【図１４】
2015089828.tif 000016
【図１５】
2015089828.tif 000017